(57)【要約】  照明ハウジングは、光エンジンアセンブリー、および部屋側要素よりなる。該部屋側要素は、前記光エンジンアセンブリーと接触している。前記光エンジンアセンブリーは、少なくとも１つのトリム要素、および、１つの光エンジンよりなる。前記トリム要素は、トリム要素内部空間を定義する。前記光エンジンは、少なくとも１つの固体発光素子を備え、かつ、前記トリム要素内部空間内に位置している。また、照明アセンブリーは、光エンジンアセンブリー、および該光エンジンアセンブリーからの熱を放散する手段を備える。
2010509747.tif 000002
【特許請求の範囲】
【請求項１】
照明アセンブリーであって、以下のものからなる：
光エンジンアセンブリー；および、
前記光エンジンアセンブリーの少なくとも一部と接触している部屋側要素、
前記光エンジンアセンブリーは、以下のものからなる：
少なくとも１つのトリム要素、該トリム要素は、トリム要素内部空間を定義する；かつ、
少なくとも１つの固体発光素子を備える光エンジン、前記光エンジンは、前記トリム要素内部空間内に位置いてる。
【請求項２】
請求項１に記載の照明アセンブリーにおいて、前記トリム要素は、フランジ部を備え、該フランジ部は、前記トリム要素の軸から、前記トリム要素のすべての他の部分より、より遠くにまで伸びており、前記部屋側要素の少なくとも一部は、前記フランジ部の少なくとも一部と接触している。
【請求項３】
請求項１に記載の照明アセンブリーにおいて、前記フランジ部は、前記トリム要素の軸に実質的に垂直な平面内において伸びている。
【請求項４】
請求項１に記載の照明アセンブリーにおいて、前記部屋側要素は、複数の熱放散フィンを備える。
【請求項５】
請求項４に記載の照明エンジンアセンブリーにおいて、前記熱放散フィンの少なくとも１つは、前記トリム要素の軸に実質的に垂直な平面内にある少なくとも１つの表面を持つ。
【請求項６】
請求項４に記載の照明アセンブリーにおいて、前記部屋側要素は、さらに、前記トリム要素と、前記部屋側要素との間に位置している少なくとも１つの熱伝導要素を備える。
【請求項７】
請求項１に記載の照明アセンブリーにおいて、前記部屋側要素は、さらに、１つの環状領域、および複数の熱放散フィンを有し、該複数の熱放散フィンは、前記トリム要素の軸を含む任意の平面状の断面が、前記複数熱放散フィンの少なくともいくらかを通って伸び、かつ、任意の前記平面状の断面内で、前記複数の熱放散フィンの少なくともいくらかが、前記環状領域から半径方向に伸び、かつ、前記トリム要素の前記軸に垂直な平面に対して異なる角を定義するよう、前記環状領域から、外方に伸びている。
【請求項８】
請求項１に記載の照明アセンブリーにおいて、前記トリム要素の軸を含む任意の平面状の断面は、前記トリム要素の軸に実質的に平行な方向において前記トリム要素から伸びる少なくとも１つの熱放散フィン、および互いに実質的に平行である少なくとも２つの他の熱放散フィンを含む。
【請求項９】
請求項１に記載の照明アセンブリーにおいて、前記部屋側要素は、１つのヒートシンク構造、および少なくとも１つの固体発光素子よりなる。
【請求項１０】
請求項１に記載の照明アセンブリーにおいて、前記部屋側要素は、環状要素を備え、該環状要素は、該環状要素の第１の表面、該第１の表面は該環状要素の第２の表面に対向している、内に、複数の凹部を持ち、前記第２の表面は、前記トリム要素と接触しており、少なくとも１つの固体発光素子は、前記凹部の少なくともいくらかのおのおの内に位置している。
【請求項１１】
請求項１に記載の照明アセンブリーにおいて：
前記部屋側要素は、少なくとも１つの固体発光素子よりなり；かつ、
前記トリム要素の軸を含む任意の平面状の断面は、該トリム要素の軸に実質的に平行な方向において前記トリム要素から伸びる少なくとも第１の熱放散フィン、および、互いに実質的に平行である少なくとも２つの他の熱放散フィンを含む。
【請求項１２】
請求項１に記載の照明アセンブリーにおいて：
前記光エンジンアセンブリーは、さらに、前記トリム要素内部空間内に位置する光エンジンハウジングを、備え、該光エンジンハウジングは、光エンジンハウジング内部空間を定義しており、かつ、
前記光エンジンは、前記光エンジンハウジング内部空間内に位置している。
【請求項１３】
請求項１２に記載の照明アセンブリーにおいて、前記光エンジンハウジングの外部表面は、前記トリム要素の内部空間と接触している。
【請求項１４】
請求項１２に記載の照明アセンブリーにおいて、前記光エンジンアセンブリーは、さらに、少なくとも１つの熱インタフェース要素を備え、該熱インタフェース要素は、前記光エンジンハウジングの外部表面と、前記トリム要素の内部空間、のおのおの、間に、かつ、両者と接触して位置している。
【請求項１５】
請求項１２に記載の照明アセンブリーにおいて、前記光エンジンアセンブリーは、さらに、複数の光エンジンハウジングフィンを備え、
該光エンジンハウジングフィンのおのおのは：
前記光エンジンハウジングの外部表面と接触しており、
前記トリム要素の内部表面と接触しており、
前記光エンジンハウジング内部空間の外側にあり、かつ、
前記トリム要素内部空間の内側にある。
【請求項１６】
請求項１５に記載の照明アセンブリーにおいて、前記光エンジンハウジングフィンは、前記光エンジンハウジングと一体となっている。
【請求項１７】
請求項１に記載の照明アセンブリーにおいて：
前記照明アセンブリーは、さらに、少なくとも第１の光拡散素子を備え、
前記光拡散素子は、前記トリム要素内部空間内に位置しており、
前記トリム要素、および前記第１の拡散素子は、一緒になって、トリム要素−拡散素子内部空間を定義しており、かつ、
前記光エンジンは、前記トリム要素−拡散素子内部空間内に位置している。
【請求項１８】
請求項１に記載の照明アセンブリーにおいて、該照明アセンブリーは、さらに、照明装置ハウジングを備え、該照明装置ハウジングは、照明装置ハウジング内部空間を定義しており、前記光エンジンアセンブリーの少なくとも一部は、前記照明装置ハウジング内部空間内に位置している。
【請求項１９】
照明アセンブリーであって、以下のものよりなる：
光エンジンアセンブリー；および、
前記光エンジンアセンブリーからの熱を放散する手段、
前記光エンジンアセンブリーは、以下のものからなる：
少なくとも１つのトリム要素、該トリム要素は、トリム要素内部空間を定義する；かつ、
少なくとも１つの固体発光素子を備える光エンジン、該光エンジンは、前記トリム要素内部空間内に位置する。
【請求項２０】
請求項１９に記載の照明アセンブリーにおいて、前記トリム要素は、フランジ部を備え、該フランジ部は、前記トリム要素の軸から、前記トリム要素のすべての他の部分より、より遠くにまで伸びている。
【請求項２１】
請求項２０に記載の照明アセンブリーにおいて、前記フランジ部は、前記トリム要素の軸に実質的に垂直である平面内において伸びている。
【請求項２２】
請求項１９に記載の光アセンブリーにおいて、前記熱を放散する手段は、その中に少なくとも１つの固体発光素子が位置している少なくとも１つのリセスよりなる。
【請求項２３】
請求項１９に記載の光アセンブリーにおいて：
前記光エンジンアセンブリーは、さらに、前記トリム要素内部空間内に位置する光エンジンハウジングを、備え、該光エンジンハウジングは、光エンジンハウジング内部空間を定義し、かつ、
前記光エンジンは、前記光エンジンハウジング内部空間内に位置している。
【請求項２４】
請求項２３に記載の照明アセンブリーにおいて、前記光エンジンハウジングの外部表面は、前記トリム要素の内部空間と接触している。
【請求項２５】
請求項２３に記載の照明アセンブリーにおいて、前記光エンジンアセンブリーは、さらに、少なくとも１つの熱インタフェース要素を備え、該熱インタフェース要素は、前記光エンジンハウジングの外部表面と、前記トリム要素の内部表面のおのおの、間に、かつ、両者と接触して位置している。
【請求項２６】
請求項２３に記載の照明アセンブリーにおいて、前記光エンジンアセンブリーは、さらに、複数の光エンジンハウジングフィンを備え、
該光エンジンハウジングフィンのおのおのは：
前記光エンジンハウジングの外部表面と接触しており、
前記トリム要素の内部表面と接触しており、
前記光エンジンハウジング内部空間の外側にあり、かつ、
前記トリム要素内部空間の内側にある。
【請求項２７】
請求項２６に記載の照明アセンブリーにおいて、前記光エンジンハウジングフィンは、前記光エンジンハウジングと一体となっている。
【請求項２８】
請求項１９に記載の照明アセンブリーにおいて：
前記照明アセンブリーは、さらに、少なくとも第１の光拡散素子を備え、
前記光拡散素子は、前記トリム要素内部空間内に位置しており、
前記トリム要素、および前記第１の拡散素子は、一緒になって、トリム要素−拡散素子内部空間を定義しており、かつ、
前記光エンジンは、前記トリム要素−拡散素子内部空間内に位置している。
【請求項２９】
請求項２１に記載の照明アセンブリーにおいて、該照明アセンブリーは、さらに、照明装置ハウジングを備え、該照明装置ハウジングは、照明装置ハウジング内部空間を定義しており、前記照明エンジンアセンブリーは、前記照明装置ハウジング内部空間内に位置している。
【発明の詳細な説明】
【技術分野】
【０００１】
関連する出願への相互参照
この出願は、２００６年１１月１４日に出願された米国仮特許出願第６０／８５９，０１３号、の利益を主張するものであり、その出願の全体は、参照によりここに組み入れられる。
【０００２】
発明の分野
本発明の主題は、照明装置において使用される照明アセンブリー、および、このような光エンジンアセンブリを含む照明装置に関係する。いくらかの実施形態において、本発明の主題は、固体発光素子、たとえば発光ダイオード、を含む照明アセンブリー、および照明装置に関係する。
【背景技術】
【０００３】
発明の背景
毎年、米国において生成される電気の多くの部分（いくつかの見積りは、２５％と高い）は、照明に行っている。したがって、よりエネルギー効率の高い照明を与える、進行中の必要がある。白熱電球バルブは、大変エネルギー効率の良くない電球光源であることが、よく知られている − それらが消費する電気の約９０％は、光としてより熱として開放される。蛍光灯は、白熱電灯バルブよりはより効率が良い（約１０％だけ）が、まだ、発光ダイオード等の固体発光素子より効率は低い。
【０００４】
さらに、固体発光素子、たとえば、発光ダイオードの通常の寿命に比較すると、白熱電球は、相対的に短い寿命、たとえば、代表的に約７５０−１０００時間を持つ。比較するに、発光ダイオードは、たとえば、５０，０００時間と、７０，０００時間の間の代表的な寿命を、持つ。蛍光灯は、白熱灯より、より長い寿命（たとえば、１０，０００ − ２０，０００時間）を持つが、しかし、色再現の好ましさは低い。
【０００５】
従来の電灯設備 により直面されるもう１つの問題は、照明装置（たとえば、電灯バルブ等）を、周期的に置き換える必要である。このような問題は、特に、アクセスが困難である（たとえば、丸天井、橋、高いビル、交通トンネル）ところで、および／または、交換コストが極端に高いところで表明されている。従来の電灯設備の代表的な寿命は、少なくとも約４４，０００時間の光発生装置の使用（２０年間にわたる１日６時間の使用に基づく）に対応する、約２０年である。光発生装置の寿命は、代表的にもっと小さく、これにより、周期的な交換の必要を生じる。
【０００６】
また、それの中にこのような照明アセンブリーがマウントされる、かつ、それの中で発光素子をより容易に変更することのできる建築要素（たとえば、天井、壁、および、床）のより少ない修整、または、それへのより少ない損傷を持って、より容易に搭載され、および／または、修理されることのできる照明アセンブリーを与えることの継続中の必要がある。
【０００７】
さらに、それにより、固体発光素子を、広い範囲の応用において白熱電球、蛍光灯、および他の光発生装置の代わりに用いることのできる方法を開発する努力が、行われ続けてきた。さらに、発光ダイオード（または、他の固体発光素子）がすでに用いられているところでは、たとえば、エネルギー効率、演色評価指数（ＣＲＩ  Ｒａ）、コントラスト、有効性（ｌｍ／Ｗ）、コスト、および／またはサービス期間、に関して改善された照明アセンブリー（発光ダイオードまたは、他の固体発光素子を含む）を与えるよう、努力が行われ続けてきている。
【０００８】
発光ダイオード等の、固体発光素子の発展は、多くの態様で照明産業を改革してきたが、光発光ダイオードの特徴のいくつかは、多くの挑戦を提示してきており、そのいくつかはまだ十分に満たされていない。
【先行技術文献】
【特許文献】
【０００９】
【特許文献１】米国特許第６，６００，１７５号明細書
【特許文献２】米国特許第６，６９３，１６６号明細書
【特許文献３】米国特許第７，２１３，９４０号明細書
【特許文献４】米国特許出願第６０／７５２，５５５号
【特許文献５】米国特許出願第６０／７５２，５５６号
【特許文献６】米国特許出願第６０／７５２，７５３号
【特許文献７】米国特許出願第６０／７５３，１３８号
【特許文献８】米国特許出願第６０／７９３，５１８号
【特許文献９】米国特許出願第６０／７９３，５２４号
【特許文献１０】米国特許出願第６０／７９３，５３０号
【特許文献１１】米国特許出願第６０／７９４，３７９号
【特許文献１２】米国特許出願第６０／７９８，４４６号
【特許文献１３】米国特許出願第６０／８０２，６９７号
【特許文献１４】米国特許出願第６０／８０８，７０２号
【特許文献１５】米国特許出願第６０／８０８，９２５号
【特許文献１６】米国特許出願第６０／８０９，５９５号
【特許文献１７】米国特許出願第６０／８０９，６１８号
【特許文献１８】米国特許出願第６０／８０９，９５９号
【特許文献１９】米国特許出願第６０／８３９，４５３号
【特許文献２０】米国特許出願第６０／８４４，３２５号
【特許文献２１】米国特許出願第６０／８４５，４２９号
【特許文献２２】米国特許出願第６０／８４６，２２２号
【特許文献２３】米国特許出願第６０／８５１，２３０号
【特許文献２４】米国特許出願第６０／８５３，５８９号
【特許文献２５】米国特許出願第６０／８５７，３０５号
【特許文献２６】米国特許出願第６０／８５８，８８１号
【特許文献２７】米国特許出願第６０／８５９，０１３号
【特許文献２８】米国特許出願第６０／８６１，９０１号
【特許文献２９】米国特許出願第６０／８６８，１３４号
【特許文献３０】米国特許出願第６０／８６８，９８６号
【特許文献３１】米国特許出願第６０／８９１，１４８号
【特許文献３２】米国特許出願第６０／９１６，３８４号
【特許文献３３】米国特許出願第１１／６１３，６９２号
【特許文献３４】米国特許出願第１１／６１３，７１４号
【特許文献３５】米国特許出願第１１／６１３，７３３号
【特許文献３６】米国特許出願第１１／６１４，１８０号
【特許文献３７】米国特許出願第１１／６２４，８１１号
【特許文献３８】米国特許出願第１１／６２６，４８３号
【特許文献３９】米国特許出願第１１／７３６，７６１号
【特許文献４０】米国特許出願第１１／７３６，７９９号
【特許文献４１】米国特許出願第１１／７３７，３２１号
【特許文献４２】米国特許出願第１１／７４３，７５４号
【特許文献４３】米国特許出願第１１／７５１，９８２号
【特許文献４４】米国特許出願第１１／７５１，９９０号
【特許文献４５】米国特許出願第１１／７５３，１０３号
【特許文献４６】米国特許出願第１１／７５５，１５３号
【特許文献４７】米国特許出願第１１／７５５，１６２号
【特許文献４８】米国特許出願第１１／８５４，７４４号
【特許文献４９】米国特許出願第１１／８５６，４２１号
【特許文献５０】米国特許出願第１１／８５９，０４８号
【発明の概要】
【００１０】
発明の簡単なサマリー
従来のリセスを設けた照明等の場合には、多数の缶が、絶縁天井内で使用されるものとして売られている。たとえば、住居用のリセス付きのダウンライトは、しばしば、絶縁体と直接接触して、あるいは、天井内に空気流が、ほとんどなしで、あるいはなしで、搭載されている。ほとんどの熱は、該ダウンライトが搭載されている部屋の空気内に放散される。
【００１１】
白熱電球ダウンライトの設計は、代表的に、最大値、たとえば、アンダーライター  ラボラトリーズ、により特定されたもの、以下で、木または絶縁とコンタクトする表面の温度を維持することに、代表的に焦点を当ててきた。設計者は、代表的に、それは、代表的に白熱電球ダウンライト内に見つけられる高温に耐えられるので、白熱電球ランプの熱的管理には、焦点を当てていない。
【００１２】
逆に、リセスされたダウンライト内のＬＥＤおよび他の固体発光素子からの熱の放散は、大変、臨界的である。たとえば、もしＬＥＤ接合温度が、製造業者の定格に維持されなければ、減少したランプ寿命、および、妥協した性能結果が、生ずる。
【００１３】
本発明の主題による光エンジンアセンブリーは、特に、デバイスの部屋側における、優れた熱放散を与える。本発明の主題の１つの側面において、増大した表面領域および重量を持つ照明アセンブリーであって、そこでは、該照明アセンブリーが部屋内に伸びている、照明アセンブリーが与えられる。本発明の主題のいくらかの実施形態において、（その多く、または、その全体が部屋内にない）光エンジンアセンブリー、および、部屋内に伸び、かつ、ヒートシンクとして機能する構造を含む部屋側要素を、備える照明アセンブリーが与えられる。
【００１４】
本発明の主題によれば、光エンジンアセンブリー、および部屋側要素、よりなる照明アセンブリーであって、それにおいては、前記光エンジンアセンブリーは、少なくとも１つのトリム要素内部空間を定義するトリム要素、および、少なくとも１つの固体発光素子よりなる光エンジンよりなる、該光エンジンは、前記トリム要素内部空間内に位置している、ものが、与えられる。
【００１５】
本発明の主題によるいくらかの実施形態において、前記トリム要素は、フランジ部を備え、該フランジ部は、前記トリム要素の軸から、前記トリム要素のすべての他の部分より、より遠くにまで伸びており、前記部屋側要素の少なくとも一部は、該フランジ部の少なくとも一部と接触している。いくらかのこのような実施形態において、前記フランジ部は、前記トリム要素の軸に実質的に垂直な平面内において伸びている。
【００１６】
本発明の主題によるいくらかの実施形態において、前記部屋側要素は、複数の熱放散フィンを備える。いくらかのこのような実施形態において：
前記複数熱放散フィンの少なくとも１つは、前記トリム要素の軸に実質的に垂直な平面内にある少なくとも１つの表面を持ち、かつ／または、
前記部屋側要素は、さらに、前記トリム要素と、前記部屋側要素との間に位置している少なくとも１つの熱伝導要素を備える。
【００１７】
本発明の主題によるいくらかの実施形態において、前記部屋側要素は、１つの環状領域、および複数の熱放散フィンを有し、該複数の熱放散フィンは、前記トリム要素の軸を含む任意の平面状の断面が前記複数の熱放散フィンの少なくともいくらかを通って伸び、かつ、任意の平面状の断面内で前記複数の熱放散フィンの少なくともいくらかが前記環状領域から放射状に伸び、かつ前記トリム要素の軸に垂直な平面に対して異なる角を定義するよう、前記環状領域から外方に伸びている。
【００１８】
本発明の主題によるいくらかの実施形態において、前記トリム要素の軸を含む任意の平面状の断面は、前記トリム要素の軸に実質的に平行な方向において前記トリム要素から伸びる少なくとも１つ第１の熱放散フィン、および、互いに実質的に平行である少なくとも２つの他の熱放散フィンを含む。
【００１９】
本発明の主題によるいくらかの実施形態において、前記部屋側要素は、１つのヒートシンク構造、および少なくとも１つの固体発光素子よりなる。
【００２０】
本発明の主題によるいくらかの実施形態において、前記部屋側要素は、環状要素を備え、該環状要素は、該環状要素の第１の表面、該第１の表面は該環状要素の第２の表面に対向している、内に、複数の凹部を持ち、前記第２の表面は、前記トリム要素と接触しており、少なくとも１つの固体発光素子は、前記凹部の少なくともいくらかのおのおの内に、位置している。
【００２１】
本発明の主題によるいくらかの実施形態において：
前記部屋側要素は、少なくとも１つの固体発光素子よりなり； かつ、
前記トリム要素の軸を含む、任意の平面状の断面は、(1) 前記トリム要素の軸に実質的に平行な方向において前記トリム要素から伸びる、少なくとも第１の熱放散フィン、(2) 互いに実質的に平行である、少なくとも２つの他の熱放散フィン、を含む。
【００２２】
本発明の主題によるいくらかの実施形態において：
前記光エンジンアセンブリーは、さらに、前記トリム要素内部空間内に位置する光エンジンハウジングを備え、該光エンジンハウジングは、光エンジンハウジング内部空間を定義し、かつ、
前記光エンジンは、前記光エンジンハウジング内部空間内に位置している。いくらかのこのような実施形態において：
前記光エンジンハウジングの外部表面は、前記トリム要素の内部空間と接触しており；
前記光エンジンアセンブリーは、さらに、少なくとも１つの熱インタフェース要素を備え、前記熱インタフェース要素は、前記光エンジンハウジングの外部表面と、前記トリム要素の内部表面のおのおの、間に、かつ、両者と接触して位置している；及び／または
前記光エンジンアセンブリーは、さらに、複数の光エンジンハウジングフィン（これらは、前記光エンジンハウジングと一体となっていても、あるいは、一体となっていなくてもよく）を備え、該光エンジンハウジングフィンのおのおのは、(1) 前記光エンジンハウジングの外部表面と接触しており、(2) 前記トリム要素の内部表面と接触しており、(3) 前記光エンジンハウジング内部空間の外側にあり、かつ、(4) 前記トリム要素内部空間の内側にある。
【００２３】
本発明の主題によるいくらかの実施形態においては：
前記照明アセンブリーは、さらに、少なくとも１つの第１の光拡散素子を備え；
該光拡散素子は、前記トリム要素内部空間内に位置しており、
前記トリム要素、および前記第１の光拡散素子は、一緒になって、トリム要素−拡散素子内部空間を定義しており、かつ、
前記光エンジンは、前記トリム要素−拡散素子内部空間内に位置している。
【００２４】
本発明の主題によるいくらかの実施形態において、前記照明アセンブリーは、さらに、照明装置ハウジングを備え、該照明装置ハウジングは、照明装置ハウジング内部空間を定義しており、前記照明エンジンアセンブリーの少なくとも一部は、前記照明装置ハウジング内部空間内に位置している。
【００２５】
本発明の主題の照明アセンブリーは、前記アセンブリーの表面領域および重量を増大するように、前記トリム要素から伸びるユニークな熱放散構造を含み、かつ、部屋空気による対流冷却を通しての熱放散を可能としている。
【００２６】
本発明の主題は、添付図面、および、本発明の主題の以下の詳細な説明を参照して、より十分に理解されるであろう。
【図面の簡単な説明】
【００２７】
【図１】図１は、本発明の主題による照明アセンブリーの第１の実施形態の斜視図である。
【図２】図２は、図１に描かれた第１の実施形態の断面図である。
【図３】図３は、図１に描かれた第１の実施形態の斜視展開図である。
【図４】図４は、図１に描かれた第１の実施形態の部屋側要素の部分断面図である。
【図５】図５は、トリム要素と部屋側要素との間に位置している熱伝導要素を含む、代替的な実施形態の部分的な断面図である。
【図６】図６は、前記第１の実施形態に似た、かつ、さらに照明装置ハウジングを備えた１つの代替的な実施形態の断面図である。
【図７】図７は、本発明の主題による照明アセンブリーの第２の実施形態の斜視図である。
【図８】図８は、図７に描かれた第２の実施形態の斜視展開図である。
【図９】図９は、図２に描かれた第２の実施形態の部屋側要素の部分的断面図である。
【図１０】図１０は、本発明の主題による照明アセンブリーの第３の実施形態の断面図である。
【図１１】図１１は、本発明の主題による照明アセンブリーの第４の実施形態の断面図である。
【図１２】図１２は、本発明の主題による照明アセンブリーの第５の実施形態の断面図である。
【発明を実施するための形態】
【００２８】
発明の詳細な記述
本発明の主題は、今、本発明の主題の実施形態が示された添付図面を参照して、以下により十分に説明される。しかしながら、この発明の主題は、ここで打ち立てられた実施形態に限定して解釈されるべきではない。むしろ、これらの実施形態は、この開示が完全で完璧であり、本発明の主題の範囲を当業者に十分に運ぶように与えられる。同様の要素に対しては、全体を通して同様の数字が与えられる。ここで使用されるように、用語“および／または”は、１つ、またはそれ以上の関連するリストされたアイテムの任意のもの、およびすべての結合を含む。
【００２９】
ここで使用される用語は、特定の実施形態のみを記述する目的のためのものであり、本発明の主題を限定することが意図されているものではない。ここで使用されるように、単一形“a”、“an”、および“the”は、文脈が明らかにそうでないことを示していなければ、複数形をも含むことが意図されている。さらに、用語“comprises”、および／または“comprising”は、この明細書において使用されるときは、述べられた特徴、整数、ステップ、動作、要素、および／または構成要素の存在を特定するが、しかし、その１つ、またはそれ以上の他の特徴、整数、ステップ、動作、要素、構成要素、および／または、それらのグループの存在、または付加を排除するものではない。
【００３０】
層、領域、または基板等の要素が、ここでもう１つの要素の上に（“on”）ある、あるいは、の上に（“onto”）伸びている、と言及されるとき、それは該他の要素上に直接ある（“directly on”）、あるいは該他の要素上に直接（“directly onto”）伸びることもでき、あるいは中間の要素がまた存在してもよい。対照的に、ある要素がもう１つの要素の直接上に（“directly on”）ある、あるいは直接上に（“directly onto”）伸びている、と言及されるとき、中間の要素は存在しない。また、ある要素が、ここで、もう１つの要素に、“接続されている”（“connected”）または“結合されている”（“coupled ”）と言われるとき、それは、該他の要素に直接接続されている、あるいは、結合されていることができ、あるいは、中間の要素が、存在してもよい。対照的に、ある要素が、他の要素に“直接接続されている”（“directly connected”）、または“直接結合されている”（“directly coupled”）と言われるとき、中間の要素は存在しない。
【００３１】
ここで使用される用語“第１の”、“第２の”等は、種々の要素、構成要素、領域、層、セクション、および／またはパラメータを記述するために用いられるが、これらの要素、構成要素、領域、層、セクション、および／またはパラメータは、これらの用語によって限定されるものではない。これらの用語は、単に、１つの要素、構成要素、領域、層、またはセクションを、もう１つの要素、構成要素、領域、層、またはセクションから区別するためにのみ用いられる。このように、以下で議論される第１の要素、構成要素、領域、層、またはセクションは、本発明の教えから離れることなく、第２の要素、構成要素、領域、層、またはセクションと言われることができる。
【００３２】
さらに、相対的用語“より低い”または“底の”、および“より上の”または“上面の”は、図面に示されたような１つの要素のもう１つの要素に対する関係を記述するために用いられる。このような相対的用語は、図面において描かれた方位に加えて該デバイスの異なる方位をカバーすることが意図されている。たとえば、もし該図面に示されるデバイスがひっくり返されれば、該他の要素の“より低い”側上にあると記述されている要素は、そのとき、該他の要素の“より上の”側上に方位を向けられているであろう。好ましい用語“より下の”は、それゆえ、該図面の特定の方向に依存した“より下の”、および“より上の”の方位の両方をカバーする。同様に、もし、該図面の１つにおけるデバイスがひっくり返されれば、他の要素の“下に”あるいは“下側に”あると記述されている要素は、そのとき、該他の要素の“上に”方位を向けられているであろう。好ましい用語“下に”または“下側に”は、それゆえ、上におよび下に、の両方の方位をカバーするであろう。
【００３３】
固体発光素子に言及するときにここで使用される表現“照明”（または、“照明された”）は、少なくともいくらかの電流が固体発光素子に供給されて、該固体発光素子をして少なくともいくらかの光を発光せしめることを意味する。表現“照明された”は、該固体発光素子が、光を連続的に、あるいは、人間の目がそれを連続的に光を発していると感じるような速度で、光を間欠的に発している状況、あるいは、同じ色、または異なる色の複数の発光ダイオードが、人間の目がそれらを光を連続的に発していると（かつ、異なる色が出射される場合には、それらの色の混合物として）感じるような態様で光を間欠的に、および／または交互に（“on”時間におけるオーバーラップありで、または、なしで）発している状況をカバーする。
【００３４】
ルミファーに言及するときにここで使用される、表現“励起された”は、少なくともいくらかの電磁放射（たとえば、可視光、紫外光、または赤外光）がルミファーと接触し、該ルミファーをして少なくともいくらかの光を発生せしめることを意味する。表現“励起された”は、ルミファーが、光を連続的に、あるいは、人間の目がそれを光を連続的に発していると感ずるような速度で間欠的に発している状況、あるいは、同じ色、または異なる色の複数のルミファーが人間の目がそれらを光を連続的に発していると（かつ、異なる色が出射される場合には、それらの色の混合物として）感じるような態様で光を間欠的に、および／または交互に（“on”時間におけるオーバーラップありで、または、なしで）発している状況をカバーする。
【００３５】
ここで使用される、表現“照明装置”は、それが光を発することができる点を除いて、限定されない。すなわち、照明装置は、即ち、照明装置は、領域、または体積、たとえば、構造、水泳プールまたはスパ、部屋、倉庫、指示器、道、パーキングロット、車両、信号、たとえば、道路標識、ビルボード、船、おもちゃ、鏡、ベッセル、電子装置、ボート、航空機、スタジアム、コンピュータ、遠隔音響装置、遠隔ビデオ装置、携帯電話、木、窓、ＬＣＤディスプレイ、洞窟、トンネル、庭、ランプポスト、を照明するデバイス、あるいは、包囲体を照明するデバイス、またはデバイスアレイ、あるいは、エッジ、または背景照明に使用されるデバイス（たとえば、背景光のポスター、標識、ＬＣＤディスプレー）、バルブ置替体（たとえば、ＡＣ白熱電灯、低電圧灯、蛍光灯、等を置き換えるための）、室外照明に使用されるライト、安全照明に使用されるライト、室外居住照明に使用されるライト（壁マウント、ポスト／カラムマウント）、天井取付体／壁取付け用燭台、キャビネット下照明、ランプ（床、および／またはテーブル、および／またはデスク）、景観照明、トラック照明、タスク照明、特殊照明、天井ファン照明、アーカイブ／アート表示照明、高振動／衝撃照明 − 作業用照明、等、鏡／化粧テーブル照明、または、任意の他の発光デバイスであることができる。
【００３６】
ある装置における２つの構成要素が“電気的に接続されている”、との文章は、前記構成要素間に、その挿入が、該デバイスにより提供される１つの機能、または複数の機能に実質的に影響を与える何らの構成要素も、電気的に存在しないことを意味する。たとえば、２つの構成要素は、たとえもし、それらが、それらの間に、該デバイスによって与えられる１つの機能、または複数の機能に実質的に影響を与えない小さい抵抗をもっていたとしても、電気的に接続されている、と言うことができる（実際、２つの構成要素を結ぶワイヤは、小さい抵抗であると、考えることができる）；同様に、２つの構成要素は、たとえそれらが、それらの間に、該デバイスが、付加的な機能を達成することのできるようにする付加的な電気的な構成要素をもってはいるが、該付加的な構成要素を含まないことを除いて同一である、該デバイスにより与えられる１つの機能、または複数の機能に、実質的に影響を与えないものであれば、電気的に接続されている、と言うことができる；同様に、相互に直接接続されている、あるいは回路基板上のワイヤ、またはトレースの対向するエンドに直接接続されている２つの構成要素は、電気的に接続されている。
【００３７】
本明細書（以下のパラグラフにおける、を含む）において用いられる表現“接触して”は、第２の構造と“接触している”前記第１の構造が、前記第２の構造と直接接触していることができること、あるいは、１つ、またはそれ以上の中間構造により前記第２の構造から分離されている（すなわち、間接接触している）ことができること、ここで、該第１、および第２の構造、および該１つ、またはそれ以上の中間構造はおのおの、前記第１、および第２の構造の表面、および前記１つ、またはそれ以上の中間構造の表面、のうちから選択されたもう１つの表面と直接接触する、少なくとも１つの表面を持つことを意味する。
【００３８】
本明細書において用いられているような表現“直接接触して”は、第２の構造と“直接接触して”いる第１の構造が、第２の構造と接触しており、かつ、少なくともある位置において、前記第１、及び第２の構造の間に中間構造がないことを意味する。
【００３９】
ここで使用されるように、たとえば、表現“実質的に垂直の”、“実質的に平行の”、“実質的に円筒形状の”、“実質的に錘台形状の”、“実質的に円錐形状の”、“実質的に半楕円形の”等における、用語“実質的に”は、記載された特徴の少なくとも約９５％の一致を、意味する、即ち、
ここで使用される表現“実質的に垂直の”は、参照平面または線に対して実質的に垂直であると特徴付けられる構造内の点の少なくとも９５％が、(1) 前記参照平面に対して垂直である、(2) 相互に平行である、および、(3) 該前記構造の最大寸法の５％より大きくない距離だけ、互いに空間を開けられている、一対の平面のうちの１つの上に、または、それらの間に配置されている、ことを意味する；
ここで使用される表現“実質的に平行の”は、２つの線（２つの平面）が、互いから、最大で、９０度の５％の角度、すなわち、４．５度だけ、発散することを意味する；
ここで使用される表現“実質的に円筒形状の”は、実質的に円筒形状であると特徴付けられる表面内の点の少なくとも９５％が、それらの最大の寸法の５％より大きくない距離だけ、互いに離れている一対の想像上の円筒形状構造のうちの１つ上に、またはそれらの間に、配置されていることを意味する；
ここで使用される表現“実質的に錘台形状の”は、実質的に錘台形状であると特徴付けられる表面内の点の少なくとも９５％が、それらの最大の寸法の５％より大きくない距離だけ、互いに離れている一対の想像上の錘台形状構造のうちの１つ上に、またはそれらの間に、配置されていることを意味する；
ここで使用される表現“実質的に円錐形状の”は、実質的に円錐形状であると特徴付けられる表面内の点の少なくとも９５％が、それらの最大の寸法の５％より大きくない距離だけ、互いに離れている一対の想像上の円錘構造のうちの１つ上に、またはそれらの間に、配置されていることを意味する；かつ、
ここで使用される表現“実質的に半楕円形の”は、半楕円を、式ｘ2／ａ2 ＋ｙ2／ｂ2 ＝１、ここで、ｙ≧０、を持つよう引くことができ、かつ、虚数軸を、該構造上の各点のｙ座標が、このような点のｘ座標を、このような式に代入することにより得られる値の０．９５から１．０５倍内にある位置で引くことができることを意味する。
【００４０】
もし、他の方法でもって定義されなければ、ここで使用される（技術的、および科学的用語を含む）すべての用語は、発明が属する技術の分野における当業者によって共通に理解されるのと同じ意味を持つ。共通に使用される辞書において定義されたもの、のような用語は、関連する技術および本開示の文脈におけるそれらの意味と一環した意味を持つものと解釈されるべきであり、明確にここでそのように定義されたのでなければ、理想化された、または過度に形式的な意味では解釈されないであろうことがさらに理解される。さらに、もう１つの特徴に“隣接して”配置された構造または特徴に対する参照は、該隣接する特徴を覆う、またはその下にある部分をもつであろう、ことも当業者によって理解されるであろう。
【００４１】
上記したように、本発明の主題は、光エンジンアセンブリー、および部屋側要素、よりなる照明アセンブリー、それにおいては、前記光エンジンアセンブリーは、少なくとも１つのトリム要素、および少なくとも１つの固体発光素子よりなる光エンジン、よりなる、を与える。
【００４２】
該トリム要素は、任意の所望の形状であることができ、かつ、任意の所望の材料より作られることができ、その両者の広い範囲の種々のものは、当業者によく知られている。それから、前記トリム要素をつくることのできる材料の代表的な例は、圧延鋼材、スパンアルミニウム、ダイカストアルミニウム、液晶ポリマー、ポリフェニレンスルファイド（ＰＰＳ）、熱可塑性樹脂バルクモールド化合物、または、他の複合材料よりなり、これらは、優秀な熱転送特性を与え、これらは、熱を放散するのに助けとなるであろう。
【００４３】
上記したように、光エンジンは、少なくとも、１つの固体発光素子よりなる。いくらかの実施形態において、該光エンジンは、前記少なくとも１つの固体発光素子、および、電気的に伝導性の構造（たとえば、印刷配線板）であって、少なくとも１つの電源（これは、前記光エンジンとインタフェースする）からの電力を前記少なくとも１つの固体発光素子に運ぶもの、のおのおのを支持する構造を、さらに備える。本発明の主題による使用に適切な光エンジンの代表的な例は、以下のものに記述されている：
米国特許出願第６０／８４６，２２２号、２００６年９月２１日出願、名称“照明アセンブリー、これを搭載する方法、および、光を置き換える方法”（発明者：アントニー  ポール  ヴァンデヴェン、および ジェラルド  Ｈ．ネグレイ；代理人ドケット番号９３１＿０２１ＰＲＯ）、および、米国特許出願第１１／８５９，０４８号、２００７年９月２１日出願、それらの全体は、参照によりここに組み入れられる；および、
米国特許出願第６０／８５３，５８９号、２００６年１０月２３日出願、名称“照明装置、および、光エンジンハウジングおよび／または、トリム要素を、照明装置ハウジング内に搭載する方法”（発明者：ゲイリー  デイビット  トロットおよびポール  ケネス  ピッカード；代理人ドケット番号９３１＿０３８ＰＲＯ）、その全体は、参照によりここに組み入れられる。
【００４４】
該１つの、またはそれ以上の固体発光素子は、任意の適切な固体発光素子であることができ、その広い範囲の種々のものは、当業者によく知られており、容易に入手可能である。固体発光素子は、無機の、および有機の発光素子を含む。このような発光素子のタイプの例は、広い範囲の発光ダイオード（ポリマー発光ダイオード（ＰＬＥＤ）を含む、無機の、および有機の）、レーザダイオード、薄膜エレクトロルミネッセントデバイス、発光ポリマー（ＬＥＰ）、そのおのおのの種々のものは、技術においてよく知られている（かつ、それゆえ、このような装置、および／または、このような装置がそれから作られる材料を、詳細に記述する必要はない。）を含む。ここで使用される表現“固体発光素子”は、１つ、またはそれ以上の固体発光素子を含む構成要素、あるいは、１つまたはそれ以上の固体発光素子ばかりでなく、１つまたはそれ以上のルミファーを含む構成要素を、言及することができる。本発明の主題によるいくらかの実施形態においては、照明アセンブリーは、１つまたはそれ以上の固体発光素子、それは、少なくとも１つの固体発光素子、および光を発する少なくとも１つのルミファーを含む、該ルミネッセント要素により出射されるこのような光の少なくとも一部は、該ルミネッセント要素内のルミネッセント材料が前記少なくとも１つの固体発光素子により出射された光により励起されることに応答して出射される、を含む。
【００４５】
上記したように、用いることのできる１つのタイプの固体発光素子は、ＬＥＤである。このようなＬＥＤは、任意の発光ダイオードの中から選択することができる（その広い範囲の種々のものは、容易に入手可能であり、かつ当業者によく知られており、かつそれゆえ、このような装置、および／またはこのような装置がそれから作られる材料を、詳細に記述する必要はない。）。たとえば、固体発光素子のタイプの例は、無機の、および有機の発光ダイオードを含み、そのおのおのの種々のものは、技術においてよく知られている。
【００４６】
このようなＬＥＤの代表的な例は、リードフレーム、ルミファー、包囲体領域等を含むことができる。
【００４７】
適切なＬＥＤの代表的な例は、以下に記述されている：
(1) 米国特許出願第６０／７５３，１３８号、２００５年１２月２２日出願、名称“照明装置”（発明者：ジェラルド  Ｈ．ネグレイ；代理人ドケット番号９３１＿００３ＰＲＯ）、および、米国特許出願第１１／６１４，１８０号、２００６年１２月２１日出願、それらの全体は、参照によりここに組み入れられる；
(2) 米国特許出願第６０／７９４，３７９号、２００６年４月２４日出願、名称“ルミファー膜を空間的に分離することにより、ＬＥＤにおけるスペクトル内容をシフトすること”（発明者：ジェラルド  Ｈ．ネグレイ、およびアントニー  ポール  ヴァンデヴェン；代理人ドケット番号９３１＿００６ＰＲＯ）、および、米国特許出願第１１／６２４，８１１号、２００７年１月１９日出願、それらの全体が参照によりここに組み入れられる；
(3) 米国特許出願第６０／８０８，７０２号、２００６年５月２６日出願、名称“照明装置”（発明者：ジェラルド  Ｈ．ネグレイ、およびアントニー  ポール  ヴァンデヴェン；代理人ドケット番号９３１＿００９ＰＲＯ）、および、米国特許出願第１１／７５１，９８２号、２００７年５月２２日出願、それらの全体が参照によりここに組み入れられる；
(4) 米国特許出願第６０／８０８，９２５号、２００６年５月２６日出願、名称“固体発光装置、およびこれを製造する方法”（発明者：ジェラルド  Ｈ．ネグレイ、およびニール  ハンター；代理人ドケット番号９３１＿０１０ＰＲＯ）、および、米国特許出願第１１／７５３，１０３号、２００７年５月２４日出願；
(5) 米国特許出願第６０／８０２，６９７号、２００６年５月２３日出願、名称“照明装置、および製造方法”（発明者：ジェラルド  Ｈ．ネグレイ；代理人ドケット番号９３１＿０１１ＰＲＯ）、および、米国特許出願第１１／７５１，９９０号、２００７年５月２２日出願、それらの全体が参照によりここに組み入れられる；
(6) 米国特許出願第６０／８３９，４５３号、２００６年８月２３日出願、名称“照明装置、および照明方法”（発明者：アントニー  ポール  ヴァンデヴェン、およびジェラルド  Ｈ．ネグレイ；代理人ドケット番号９３１＿０３４ＰＲＯ）、その全体が参照によりここに組み入れられる;
(7) 米国特許出願第６０／８５７，３０５号、２００６年１１月７日出願、名称“照明装置、および照明方法”（発明者：アントニー  ポール  ヴァンデヴェン、およびジェラルド  Ｈ．ネグレイ；代理人ドケット番号９３１＿０２７ＰＲＯ）、その全体が参照によりここに組み入れられる;および、
(8) 米国特許出願第６０／８５１，２３０号、２００６年１０月１２日出願、名称“照明装置、およびこれを製造する方法”（発明者：ジェラルド  Ｈ．ネグレイ；代理人ドケット番号９３１＿０４１ＰＲＯ）、その全体が参照によりここに組み入れられる。
【００４８】
本発明の主題によるいくらかの実施形態は、少なくとも１つの第１のＬＥＤ、および少なくとも１つの第１のルミファーを含む。いくらかのこのような実施形態において、前記第１のＬＥＤから出射される光は、４３０ｎｍから４８０ｎｍまでの範囲内のピーク波長を持ち、かつ、前記第１のルミファーから出射される光は、約５５５ｎｍから約５８５ｎｍまでの範囲内の主要波長を持つ。
【００４９】
本発明の主題によるいくらかの実施形態は、少なくとも１つの第１のＬＥＤ，少なくとも１つの第２のルミファー、および、少なくとも１つの第２のＬＥＤを含む。いくらかのこのような実施形態において、前記第１のＬＥＤから出射される光は、４３０ｎｍから４８０ｎｍまでの範囲内のピーク波長を持ち、前記第１のルミファーから出射される光は、約５５５ｎｍから約５８５ｎｍまでの範囲内の主要波長を持ち、かつ、前記第２のＬＥＤから出射される光は、６００ｎｍから６３０ｎｍまでの範囲内の主要波長を持つ。
【００５０】
本発明の主題によるいくらかの実施形態は、少なくとも１つの第１の固体発光素子（それは、いくらかのこのような実施形態においては、少なくとも１つの第１のＬＥＤ、および少なくとも１つの第１のルミファーを含む）を含み、それは、もし照明されれば、１９３１年ＣＩＥ色度図上の、第１、第２、第３、第４、および第５の線分により囲まれる領域内にある点を定義するｘ、ｙカラー座標、ここで、前記第１の線分は、第１の点を第２の点に接続し、前記第２の線分は、第２の点を第３の点に接続し、前記第３の線分は、第３の点を第４の点に接続し、前記第４の線分は、第４の点を第５の点に接続し、前記第５の線分は、第５の点を第１の点に接続し、前記第１の点は、０．３２、０．４０のｘ、ｙ座標を持ち、前記第２の点は、０．３６、０．４８のｘ、ｙ座標を持ち、前記第３の点は、０．４３、０．４５のｘ、ｙ座標を持ち、前記第４の点は、０．４２、０．４２のｘ、ｙ座標を持ち、前記第５の点は、０．３６、０．３８のｘ、ｙ座標を持つ、を持つ光を、出射するであろう。
【００５１】
一般に、任意の数の色の光は、本発明の主題による照明アセンブリーにより混合することができる。光の色のブレンドの代表的な例は、以下に記述されている：
(1) 米国特許出願第６０／７５２，５５５号、２００５年１２月２１日出願、名称“照明装置、および照明方法”（発明者：アントニー  ポール  ヴァンデヴェン、およびジェラルド  Ｈ．ネグレイ；代理人ドケット番号９３１＿００４ＰＲＯ）、および、米国特許出願第１１／６１３，７１４号、２００６年１２月２０日出願、それらの全体が参照によりここに組み入れられる；
(2) 米国特許出願第６０／７５２，５５６号、２００５年１２月２１日出願、名称“看板、および照明方法”（発明者：ジェラルド  Ｈ．ネグレイ、およびアントニー  ポール  ヴァンデヴェン；代理人ドケット番号９３１＿００５ＰＲＯ）、および米国特許出願第１１／６１３，７３３号、２００６年１２月２０日出願、それらの全体は参照によりここに組み入れられる；
（3） 米国特許出願第６０／７９３，５２４号、２００６年４月２０日出願、名称“照明装置、および照明方法”（発明者：ジェラルド  Ｈ．ネグレイ、およびアントニー  ポール  ヴァンデヴェン；代理人ドケット番号９３１＿０１２ＰＲＯ）、および米国特許出願第１１／７３６，７６１号、２００７年４月１８日出願、それらの全体は参照によりここに組み入れられる；
(4) 米国特許出願第６０／７９３，５１８号、２００６年４月２０日出願、名称“照明装置、および照明方法”（発明者：ジェラルド  Ｈ．ネグレイ、およびアントニー  ポール  ヴァンデヴェン；代理人ドケット番号９３１＿０１３ＰＲＯ）、および米国特許出願第１１／７３６，７９９号、２００７年４月１８日出願、それらの全体は参照によりここに組み入れられる；
(5) 米国特許出願第６０／７９３，５３０号、２００６年４月２０日出願、名称“照明装置、および照明方法”（発明者：ジェラルド  Ｈ．ネグレイ、およびアントニー  ポール  ヴァンデヴェン；代理人ドケット番号９３１＿０１４ＰＲＯ）、および米国特許出願第１１／７３７，３２１号、２００７年４月１９日出願、それらの全体は参照によりここに組み入れられる；
(6) 米国特許第７，２１３，９４０号明細書、２００７年５月８日発行、名称“照明装置、および照明方法”（発明者：アントニー  ポール  ヴァンデヴェン、およびジェラルド  Ｈ．ネグレイ；代理人ドケット番号９３１＿０３５ＮＰ）、その全体は参照によりここに組み入れられる;
(7) 米国特許出願第６０／８６８，１３４号、２００６年１２月１日出願、名称“照明装置、および照明方法”（発明者：アントニー  ポール  ヴァンデヴェン、およびジェラルド  Ｈ．ネグレイ；代理人ドケット番号９３１＿０３５ＰＲＯ）、その全体は参照によりここに組み入れられる;
(8) 米国特許出願第６０／８６８，９８６号、２００６年１２月７日出願、名称“照明装置、および照明方法”（発明者：アントニー  ポール  ヴァンデヴェン、およびジェラルド  Ｈ．ネグレイ；代理人ドケット番号９３１＿０５３ＰＲＯ）、その全体は参照によりここに組み入れられる；
(9) 米国特許出願第６０／８５７，３０５号、２００６年１１月７日出願、名称“照明装置、および照明方法”（発明者：アントニー  ポール  ヴァンデヴェン、ジェラルド  Ｈ．ネグレイ；代理人ドケット番号９３１＿０２７ＰＲＯ）、その全体は参照によりここに組み入れられる;および、
(10) 米国特許出願第６０／８９１，１４８号、２００７年２月２２日出願、名称“照明装置および照明方法、光フィルタ及び光をフィルタする方法”（発明者：アントニー  ポール  ヴァンデヴェン；代理人ドケット番号９３１＿０５７ＰＲＯ）、その全体は参照によりここに組み入れられる。
【００５２】
本発明の主題による照明アセンブリーは、本発明の主題による照明アセンブリーは、任意の所望の数の固体発光素子よりなることができる。たとえば、本発明の主題による照明アセンブリーは、１つ、またはそれ以上の発光ダイオードを含むことができ、あるいは、５０、またはそれ以上の発光ダイオードを含むことができ、あるいは、１００、またはそれ以上の発光ダイオード等を含むことができる。
【００５３】
上記したように、本発明の主題による照明アセンブリーのいくらかの実施形態は、複数のルミファー（すなわち、少なくとも１つのルミネッセント材料を備えたルミネッセンス領域またはルミネッセント要素）を、含むことができる。ここで使用される、表現“ルミファー”は、任意のルミネッセント要素、たとえば、１つのルミネッセント材料を含む任意の要素を言及する。
【００５４】
広い範囲の種々のルミネッセント材料（たとえば、米国特許第６，６００，１７５号明細書、その全体は参照によりここに組み入れられる、に開示されているように、ルミファー、またはルミノフォリック媒体としても知られる）は、当業者によく知られており、かつ入手可能である。たとえば、リン発光体は、放射の励起源により励起されたとき、応答性の放射（たとえば、可視光）を出射するルミネッセント材料である。多くの場合において、応答性の放射は、励起する放射の波長と異なる波長を有する。ルミネッセント材料の他の例は、シンチレーター、昼日グローテープ、および紫外線を照射されると可視スペクトル内において輝くインクを含む。
【００５５】
ルミネッセント材料は、ダウンコンバートするもの、すなわち、フォトンをより低いエネルギーレベル（より長い波長）に変換する材料である、あるいは、アップコンバートするもの、すなわち、フォトンをより高いエネルギーレベル（より短い波長）に変換する材料である、ものとして分類されることができる。
【００５６】
ルミネッセント材料をＬＥＤ装置内に含むことは、上記したように、ルミネッセント材料を清浄な、または透明な収容材料（たとえば、エポキシ系、シリコーン系、ガラス系、または金属酸化物系材料）に、たとえば、ブレンディングまたはコーティングプロセスにより付加することにより遂行されてきた。
【００５７】
たとえば、米国特許第６，６９３，１６６号明細書（Ｙａｎｏ‘１６６）は、従来の発光ダイオードランプが、発光ダイオードチップ、発光ダイオードチップを覆うための弾丸形状透明ハウジング、電流を発光ダイオードチップに供給する導線、および、発光ダイオードチップの放射を一定の方向に反射するためのカップ反射器、そこにおいては、発光ダイオードチップは、第１の樹脂部分により収容されており、これは、さらに第２の樹脂部分により収容されている、を含むことを開示している。Ｙａｎｏ‘１６６によれば、該第１の樹脂部分は、カップ反射器を樹脂材料で満たし、それを、発光ダイオードチップがカップ反射器の底上にマウントされ、そののち、そのカソード、およびアノード電極がワイヤによりリードに電気的に接続された後に、キュアーすることにより得られる。Ｙａｎｏ‘１６６によれば、リン発光体は、該第１の樹脂部分内に、前記発光ダイオードチップから出射された光Ａにより励起されるよう分散されることができ、該励起されたリン発光体は、光Ａより長い波長を持つ蛍光発光（“光Ｂ”）を生成し、該光Ａの一部は、該リン発光体を含む第１の樹脂部分を通って送信され、結果として、光Ａと光Ｂの混合物である光Ｃが、照明として用いられる。
【００５８】
上記したように、いくらかの実施形態において、前記部屋側要素は、以下のものよりなる：
少なくとも１つの熱放散フィン；
環状領域；
少なくとも１つの熱伝導要素；
環状要素；
ヒートシンク構造；および／または、
少なくとも１つの固体発光素子。
【００５９】
前記熱放散フィン、および環状領域は、任意のおのおのの所望の形状であることができ、かつ、おのおの任意の適切な材料よりなることができ、その広い範囲の種々のものは、よく知られており、容易に入手可能である。それから、熱放散領域、および／または、環状領域を形成することのできる材料の代表的な例は、押し出しアルミニウム、ダイカストアルミニウム、液晶ポリマー、ポリフェニレンスルファイド（ＰＰＳ）、熱可塑性樹脂バルクモールド化合物、または、他の複合材料であり、これらは、優秀な熱転送特性を与え、これらは、熱を放散するのに助けとなるであろう。いくらかの実施形態において、前記熱放散フィンは、前記トリム要素、および／または環状領域と、一体となっている。
【００６０】
上記したように、本発明の主題のいくらかの実施形態においては、前記部屋側要素は、前記トリム要素と、前記部屋側要素との間に配置された、少なくとも１つの熱伝導要素を備える。
【００６１】
熱伝導要素は、任意の適切な材料よりなることができ、その広い範囲の種々のものは、よく知られており、容易に入手可能である。熱伝導要素としての使用に適切な材料の代表的な例は、熱エポキシ、熱グリーズおよびギャップパッド、を含み、そのおのおのの適切な変形例は、当業者によく知られており、かつ、容易に入手可能である。
【００６２】
上記したように、本発明の主題のいくらかの実施形態においては、前記部屋側要素は、複数の凹部を持ち、少なくとも１つの固体発光素子が、前記複数の凹部の少なくともいくらかのおのおの内に配置されている環状要素を備える。
【００６３】
環状要素は、任意の適切な材料よりなることができ、その広い範囲の種々のものは、よく知られており、容易に入手可能である。それから、前記環状要素をつくることのできる材料の代表的な例は、押し出しアルミニウム、ダイカストアルミニウム、液晶ポリマー、ポリフェニレンスルファイド（ＰＰＳ）、熱可塑性樹脂バルクモールド化合物、または他の複合材料を含み、これらは、優秀な熱転送特性を与え、これらは、熱を放散するのに助けとなるであろう。
【００６４】
上記したように、本発明の主題のいくらかの実施形態においては、前記部屋側要素は、ヒートシンク構造を備える。
【００６５】
ヒートシンク構造は、任意の適切な材料より作られることができ、その両者の広い範囲の種々のものは、当業者によく知られている。それから、前記ヒートシンク構造をつくることのできる材料の代表的な例は、押し出しアルミニウム、ダイカストアルミニウム、液晶ポリマー、ポリフェニレンスルファイド（ＰＰＳ）、熱可塑性樹脂バルクモールド化合物、または他の複合材料を含み、これらは、優秀な熱転送特性を与え、これらは、熱を放散するのに助けとなるであろう。
【００６６】
上記したように、本発明の主題のいくらかの実施形態においては、前記部屋側要素は、少なくとも１つの固体発光素子を、備える。上記で、本発明の主題による光エンジンにおける使用に適切であると記述された固体発光素子は、本発明の主題による前記部屋側要素における使用に等しく適切である。
【００６７】
上記したように、本発明の主題によるいくらかの実施形態においては、前記照明エンジンハウジングは、さらに、光エンジンハウジングを備える。
【００６８】
光エンジンハウジングは、任意の適切な材料よりなることができ、その広い範囲の種々のものは、よく知られており、容易に入手可能である。それから、前記光エンジンハウジングを形成することのできる材料の代表的な例は、押し出しアルミニウム、ダイカストアルミニウム、液晶ポリマー、ポリフェニレンスルファイド（ＰＰＳ）、熱可塑性樹脂バルクモールド化合物、または、他の複合材料であり、これらは、優秀な熱転送特性を与え、これらは、該光エンジンにより生成された熱を放散するのに助けとなるであろう。
【００６９】
光エンジンハウジングは、任意の所望の形状であることができる。前記光エンジンハウジングのための代表的な形状は、実質的に円筒形状、および、実質的に錘台形状を含む。
【００７０】
上記したように、本発明の主題のいくらかの実施形態においては、前記光エンジンアセンブリーは、さらに、前記光エンジンハウジングと、前記トリム要素との間に位置している、少なくとも１つの熱インタフェース要素を、備える。
【００７１】
熱インタフェース要素は、任意の適切な材料よりなることができ、その広い範囲の種々のものは、よく知られており、容易に入手可能である。適切な熱転送材料の代表的な例は、熱エポキシ、熱グリーズ、およびギャップパッド、を含み、そのおのおのの適切な種々のものは、当業者によく知られており、かつ、容易に入手可能である。
【００７２】
上記したように、本発明の主題のいくらかの実施形態においては、前記光エンジンアセンブリーは、さらに、複数の光エンジンハウジングフィンを備える。
【００７３】
前記複数の光エンジンハウジングフィンは、任意の所望の形状であることができ、任意の適切な材料よりなることができ、その広い範囲の種々のものは、よく知られており、容易に入手可能である。それから、光エンジンハウジングを形成することのできる材料の代表的な例は、押し出さしアルミニウム、ダイカストアルミニウム、液晶ポリマー、ポリフェニレンスルファイド（ＰＰＳ）、熱可塑性バルクモールド化合物、または、他の複合材料であり、これらは、優秀な熱転送特性を与え、これらは、該光エンジンにより生成された熱熱を放散するのに助けとなるであろう。いくらかの実施形態において、前記光エンジンハウジングフィンは、前記光エンジンハウジングと一体となっている。
【００７４】
上記したように、本発明の主題のいくらかの実施形態においては、さらに、少なくとも１つの第１の光拡散素子が設けられる。
【００７５】
任意の所望の光拡散素子を、用いることができ、もし望まれれば、当業者は、種々のこのような拡散素子をよく知っており、かつ、容易に入手可能である。本発明の主題のいくらかの実施形態において、拡散素子は、前記光エンジンハウジングの下にマウントされており、これにより、前記光エンジンから出射された光は、前記光拡散素子を通過し、かつ、前記照明装置を出て、該照明装置により照明されるであろう領域、すなわち部屋、内に入る前に、拡散される。代替的に、あるいは付加的に、本発明の主題による照明装置は、反射性要素を含む。任意の所望の反射性要素を用いることができ、かつ、当業者は、このような反射性要素の種々のものを、よく知っており、容易に入手することができる。それから、反射性要素を作ることのできる適切な材料の代表的な例は、古河電工（日本の会社）により登録商標ＭＣＰＥＴの下で市販されている材料である。本発明の主題のいくらかの実施形態において、反射性要素は、前記トリム要素の側壁の内部表面の少なくとも一部を、カバーするように、成形され、かつ、位置している。本発明のいくらかの実施形態において、拡散素子は、前記光エンジンハウジングの下に設けられ、かつ、マウントされており、かつ、反射性要素は、前記拡散素子の下にある前記トリム要素（および／または、照明装置ハウジング）の側壁の内部表面を、カバーするように、設けられ、かつ、マウントされている。
【００７６】
上記したように、本発明の主題のいくらかの実施形態においては、前記照明アセンブリーは、さらに、照明装置ハウジングを備えて（照明装置を与える）。
【００７７】
該照明装置ハウジングは、含まれるときには、モールドされる、および／または成形されることのできる任意の材料により形成されることができ、その広い範囲の種々のものは、当業者によく知られており、容易に入手可能である。好ましくは、該照明装置ハウジングは、有効なヒートシンク（たとえば、それは、高い熱伝導性、および、高い熱容量を含む）であり、および／または、反射性である（または、それは、反射性材料をコートしている）材料により形成されることができる。それから、該照明装置ハウジングを作ることのできる材料は、圧延鋼材である。
【００７８】
照明装置ハウジングは、任意の所望の形状であることができる。照明装置ハウジングのための代表的な形状は、たとえば、従来の“缶”照明取付体におけるような、中空の実質的に円筒形状のものである。他の代表的な形状は、中空の円錐形状（または、実質的に円錐形状）、中空の錐台形状（または、実質的に錐台形状）、および中空の半楕円形状（または、実質的に半楕円形状）、または、中空の円錐形状（または、実質的に円錐形状）、中空の錘台形状（または、実質的に錘台形状）、中空の円筒形状（または、実質的に円筒形状）、および中空の半楕円状（または、実質的に半楕円形状）の中から個々に選択された部分を含む、任意の形状を含む。
【００７９】
たとえば、本発明の主題を実行するにおいて照明装置ハウジング、または照明エンジンハウジングとして使用されることのできるハウジング、および、本発明の主題を実行するにおいて使用することのできる光エンジンは、以下に記述されている：
(1) 米国特許出願第６０／７５２，７５３号、２００５年１２月２１日出願、名称“照明装置”（発明者：ジェラルド  Ｈ．ネグレイ、アントニー  ポール  ヴァンデヴェン、およびニール  ハンター；代理人ドケット番号９３１＿００２ＰＲＯ）、および米国特許出願第１１／６１３，６９２号、２００６年１２月２０日出願、それらの全体が参照によりここに組み入れられる；
(2) 米国特許出願第６０／７９８，４４６号、２００６年５月５日出願、名称“照明装置”（発明者：アントニー  ポール  ヴァンデヴェン；代理人ドケット番号９３１＿００８ＰＲＯ）、および米国特許出願第１１／７４３，７５４号、２００７年５月３日出願、それらの全体が参照によりここに組み入れられる；
(3) 米国特許出願第６０／８４５，４２９号、２００６年９月１８日出願、名称“照明装置、照明アセンブリー、取付体およびこれを用いる方法”（発明者：アントニー  ポール  ヴァンデヴェン；代理人ドケット番号９３１＿０１９ＰＲＯ）、および米国特許出願第１１／８５６，４２１号、２００７年９月１７日出願、それらの全体が参照によりここに組み入れられる；
(4) 米国特許出願第６０／８４６，２２２号、２００６年９月２１日出願、名称“照明アセンブリー、およびこれを搭載する方法、および、光を置き換える方法”（発明者：アントニー  ポール  ヴァンデヴェン、およびジェラルド  Ｈ．ネグレイ；代理人ドケット番号９３１＿０２１ＰＲＯ）、および米国特許出願第１１／８５９，０４８号、２００７年９月２１日出願、それらの全体が参照によりここに組み入れられる；
(5) 米国特許出願第６０／８０９，６１８号、２００６年３月３１日出願、名称“照明装置、および照明方法”（発明者：アントニー  ポール  ヴァンデヴェン、およびトーマス  Ｇ．コールマン；代理人ドケット番号９３１＿０１７ＰＲＯ）、および米国特許出願第１１／７５５，１５３号、２００７年５月３０日出願、それらの全体が参照によりここに組み入れられる；
(6) 米国特許出願第６０／８５８，８８１号、２００６年１１月１４日出願、名称“照明エンジンアセンブリー”（発明者：ポール  ケネス  ピッカードおよびゲイリー  デイビット  トロット；代理人ドケット番号９３１＿０３６ＰＲＯ）、その全体が参照によりここに組み入れられる；
(7) 米国特許出願第６０／８５９，０１３号、２００６年１１月１４日出願、名称“照明アセブリー、および照明アセンブリー用の構成要素装置”（発明者：ポール  ケネス  ピッカードおよびゲイリー  デイビット  トロット；代理人ドケット番号９３１＿０３７ＰＲＯ）、および米国特許出願第１１／７３６，７９９号、２００７年４月１８日出願、それらの全体が参照によりここに組み入れられる；
(8) 米国特許出願第６０／８５３，５８９号、２００６年１０月２３日出願、名称“照明装置、および照明エンジンハウジングおよび／またはトリム要素を、照明装置ハウジング内に搭載する方法”（発明者：ゲイリー  デイビット  トロットおよびポール  ケネス  ピッカード；代理人ドケット番号９３１＿０３８ＰＲＯ）、その全体が参照によりここに組み入れられる；
(9) 米国特許出願第６０／８６１，９０１号、２００６年１１月３０日出願、名称“アクセサリーアタッチメントを有するＬＥＤダウンライト”（発明者：ポール  ケネス  ピッカードおよびゲイリー  デイビット  トロットおよびＥｄ  アダムス；代理人ドケット番号９３１＿０４４ＰＲＯ）、その全体が参照によりここに組み入れられる；および、
(10) 米国特許出願第６０／９１６，３８４号、２００７年５月７日出願、名称“光取付体、照明装置、および、これらのための構成要素”（発明者：ポール ケネス ピッカード  ゲイリー デイビット  およびＥｄ  アダムス；代理人ドケット番号９３１＿０５５ＰＲＯ）、その全体は、参照によりここに組み入れられる。
【００８０】
本発明の主題の照明装置は、任意の所望の形態で、電気を供給されることができる。当業者は、広い範囲の種々の電源供給装置をよく知っており、かつ、任意のこのような装置は、本発明の主題と関連して用いることができる。本発明の主題の照明装置は、任意の所望の電源に電気的に接続される（または、選択的に接続される）ことができ、当業者は、種々のこのような電源をよく知っている。
【００８１】
さらに、任意の所望の回路網は、本発明の主題による照明装置に電源を供給するために用いることができる。本発明の主題を実行するのに用いることのできる回路網の代表的な例は、以下に、記述されている：
(1) 米国特許出願第６０／７５２，７５３号、２００５年１２月２１日出願、名称“照明装置”（発明者：ジェラルド  Ｈ．ネグレイ、アントニー  ポール  ヴァンデヴェン、およびニール  ハンター；代理人ドケット番号９３１＿００２ＰＲＯ）、および米国特許出願第１１／６１３，６９２号、２００６年１２月２０日出願、それらの全体が参照によりここに組み入れられる；
(2) 米国特許出願第６０／７９８，４４６号、２００６年５月５日出願、名称“照明装置”（発明者：アントニー  ポール  ヴァンデヴェン；代理人ドケット番号９３１＿００８ＰＲＯ）、および米国特許出願第１１／７４３，７５４号、２００７年５月３日出願、それらの全体が参照によりここに組み入れられる；
(3) 米国特許出願第６０／８０９，９５９号、２００６年６月１日出願、名称“冷却を備えた照明装置”（発明者：トーマス  Ｇ．コールマン、ジェラルド  Ｈ．ネグレイ、およびアントニー  ポール  ヴァンデヴェン；代理人ドケット番号９３１＿００７ＰＲＯ）、および米国特許出願第１１／６２６，４８３号、２００７年１月２４日出願、それらの全体が参照によりここに組み入れられる；
(4) 米国特許出願第６０／８０９，５９５号、２００６年５月３１日出願、名称“照明装置、および照明方法”（発明者：ジェラルド  Ｈ．ネグレイ；代理人ドケット番号９３１＿０１８ＰＲＯ）、および米国特許出願第１１／７５５，１６２号、２００７年５月３０日出願、それらの全体が参照によりここに組み入れられる；
(5) 米国特許出願第６０／８４４，３２５号、２００６年９月１３日出願、名称“低側ＭＯＳＦＥＴ電流制御を持つブースト／フライバック電源トポロジー”（発明者：ピーター  Ｊ．メイヤーズ；代理人ドケット番号９３１＿０２０ＰＲＯ）、および米国特許出願第１１／８５４，７４４号、２００７年９月１３日出願、それらの全体が参照によりここに組み入れられる。
【００８２】
本発明の主題は、さらに、照明された包囲体（その体積は、均一に、または不均一に、照明されることができる）が、与えられ、これは、閉じられた空間、および本発明の主題による少なくとも１つの照明装置よりなり、ここで、前記照明装置は、前記包囲体の少なくとも一部を、（均一に、または、不均一に）照明する。
【００８３】
本発明の主題は、さらに、照明された表面に向けられており、これは、表面、およびここで記述された少なくとも１つの照明装置よりなり、ここで、もし、前記照明装置が照明されれば、該照明装置は、前記表面の少なくとも一部を照明するであろう。
【００８４】
本発明の主題は、さらに、照明された領域であって、たとえば、構造、水泳プールまたはスパ、部屋、倉庫、指示器、道、パーキングロット、車両、信号、たとえば、道路標識、ビルボード、船、おもちゃ、鏡、ベッセル、電子装置、ボート、航空機、スタジアム、コンピュータ、遠隔音響装置、遠隔ビデオ装置、携帯電話、木、窓、ＬＣＤディスプレイ、洞窟、トンネル、庭、ランプポスト、等よりなるグループの中から選択された１つのアイテムであって、その中、またはその上に、ここで述べた少なくとも１つの照明装置をマウントしたもの、に向けられている。
【００８５】
本発明の主題による実施形態は、以下に、本発明の理想化された実施形態の模式的な図解である断面図（および／または、平面図）を参照して記述される。このように、たとえば、製造技術、および／または耐性の結果としての図解の形状からの変形は、予想されるものである。このように、本発明の実施形態は、ここで図解された領域の特定の形状に限定して解釈されるべきものではなく、たとえば、製造から生じる形状の変形をも含むべきものである。たとえば、矩形であるとして図示された、または記述されたモールドされた領域は、代表的に丸くされた、またはカーブされた特徴を持つであろう。このように、図面に図示された領域は、性質上、模式的のものであり、それらの形状は、装置の領域の正確な形状を図示することが意図されているのではなく、また、本発明の範囲を限定することが意図されているものでもない。
【００８６】
図１ないし図４は、本発明の主題による照明アセンブリーの第１の実施形態を描く。図１を参照して、光エンジンアセンブリー１１、および前記光エンジンアセンブリー１１の一部と接触する部屋側要素１２を備えた照明アセンブリー１０が、示されている。図２を参照して、光エンジンアセンブリー１１は、トリム要素１３、光エンジンハウジング１４、および光エンジン１５よりなる。トリム要素１３は、トリム要素内部空間１６を定義する。光エンジンハウジング１４は、前記トリム要素内部空間１６内に位置している。前記光エンジンハウジング１４は、光エンジンハウジング内部空間１７を定義する。前記光エンジン１５は、前記光エンジンハウジング内部空間１７内に位置しており（かつ、それゆえ、前記トリム要素内部空間１６内にも位置しており）、かつ、複数のＬＥＤ１８を備える。熱インタフェース要素２２は、前記光エンジンハウジング１４と、前記トリム要素１３の間に位置している。
【００８７】
前記トリム要素１３は、該トリム要素１３の軸から、該トリム要素１３の全ての他の部分よりさらに遠くに伸びるフランジ部１９を備え、かつ、前記部屋側要素１２の表面（図１参照）は、前記フランジ部１９と接触している。図２および３に示されるように、該フランジ部１９は、前記トリム要素１３の軸に実質的に垂直な平面内において伸びている。
【００８８】
図３に示されるように、前記部屋側要素１２は、複数の熱放散フィン２０を備える。図４は、部屋側要素１２の断面図であり、かつ、それは熱放散フィン２０の配列を示している。（図１と結合して見られる）図４に明らかなように、複数の熱放散フィン２０は、前記トリム要素の軸に実質的に垂直である平面内に、表面を持つ。
【００８９】
図５は、トリム要素１３と、部屋側要素１２との間に配置された熱伝導要素２１を含む、もう１つの実施形態の部分断面図である。
【００９０】
図１３は、もう１つの光エンジンアセンブリー１３１を示し、これは、トリム要素１３３、光エンジンハウジング１３４、および光エンジン１３５を含む。トリム要素１３３は、トリム要素内部空間１３６を定義する。光エンジンハウジング１３４は、光エンジンハウジング内部空間１３７を定義する。光エンジン１３５は、光エンジンハウジング内部空間１３７内に位置しており（かつ、それゆえ、また、トリム要素内部空間１３６内にあり）、かつ、複数のＬＥＤ１３８を備える。光エンジンアセンブリー１３１は、さらに、光エンジンハウジング１３４の外部表面とトリム要素１３３の内部表面のおのおのの間に、かつ、それらと接触して配置された熱インタフェース要素１３９を、備える。図１３は、また、複数の光エンジンハウジングフィン１４０を描き、そのおのおのは：(1) 前記光エンジンハウジングの外部表面と接触しており（かつ、前記光エンジンハウジング１３４と一体となっており）、(2) 前記トリム要素１３３の内部表面と接触しており、(3) 前記光エンジンハウジング内部空間１３７の外側にあり、かつ、(4) 前記トリム要素内部空間１３６の内側にある。
【００９１】
図１３は、また、トリム要素内部空間１３６内に位置している拡散素子１４１を示し、 トリム要素１３３および拡散素子１４１は、一緒になって、トリム要素−拡散素子内部空間を定義しており、かつ、光エンジン１３５は、前記トリム要素−拡散素子内部空間内に位置している。
【００９２】
図６は、照明装置ハウジング６４を備えたもう１つの光エンジンアセンブリー６１の断面図であり、照明装置ハウジング６４は、その中にトリム要素６３が配置される照明装置ハウジングン内部空間を定義している。
【００９３】
図７から９は、本発明の主題による照明アセンブリーの第２の実施形態を示す。図７を参照して、光エンジンアセンブリー７１、及び部屋側要素７２を備えた照明アセンブリー７０が、示されている。図８を参照して、光エンジンアセンブリー７１は、フランジ部７４を有するトリム要素７３よりなる。
【００９４】
図９は、部屋側要素７２の断面図であり、かつ、それは熱放散フィン７５の配列を示す。図９に示されるように、部屋側要素７２は、環状領域７６、および熱放散フィン７５を持つ。図９に示されるように、熱放散フィンは、トリム要素７３の軸を含む任意の平面状の断面（たとえば、図９に示される断面）が該熱放散フィンを通って伸び、かつ、このような平面状の断面の任意のもの内で、熱放散フィン７５が環状領域７６から放射状に伸び、トリム要素７３の軸に垂直である平面に対して異なる角度を定義するように、環状領域７６から外方に伸びている。
【００９５】
図１０は、本発明の主題による照明アセンブリーの第３の実施形態の一部の断面図である。図１０を参照して、光エンジンアセンブリー１０１、および部屋側要素１０２よりなる照明アセンブリー１００が示される。光エンジンアセンブリー１０１は、フランジ部１０４を備えたトリム要素１０３よりなる。部屋側要素１０２は、トリム要素１０３の軸に実質的に平行な方向において該トリム要素１０３から伸びる、第１の熱放散フィン１０５、および、前記トリム要素１０３の軸を含む任意の平面状の断面（たとえば、図１０に示される断面）が前記熱放散フィン１０５，１０６を通って伸び、かつ、このような平面状の断面の任意のもの内で前記熱放散フィン１０６が実質的に互いに平行であるように伸びる、４つの他の熱放散フィン１０６を備える。
【００９６】
図１１は、本発明の主題による照明アセンブリーの第４の実施形態の断面図である。図１１を参照して、光エンジンアセンブリー１１１、および部屋側要素１１２よりなる照明アセンブリー１１０が、示される。光エンジンアセンブリー１１１は、フランジ部１１４を備えたトリム要素１１３よりなる。部屋側要素１１２は、環状要素１１５（これは、ヒートシンクとして作用する）を備え、該環状要素１１５は、その第１の平面１１７内に複数の凹部１１６を持ち、該第１の表面１１７は、前記環状要素１１５の第２の表面１１８に対向しており、前記環状要素１１５の前記第２の表面１１８は、前記トリム要素１１３と接触している。固体発光素子１１９は、前記複数の凹部１１６のおのおの内に、位置している。あるいは、前記凹部のいくらか、又はすべては、その中に１つまたはそれ以上の固体発光素子が位置している、１つまたはそれ以上の環状トレンチ、により置き換えられることができる。環状印刷配線板１４０、それは前記固体発光素子１１９に電力を供給する、は、前記環状要素１１５内に位置している（あるいは、１より多い回路基板を用いることができる）。該環状印刷配線板１４０は、機械的な遮蔽を与えるように、前記環状要素１１５内の奥まったところに位置されており、かつ、屈折器１４１が、拡散および混合を増大するように、含まれている。固体発光素子１１９は、照明アセンブリーから分配される光の量を増大することができ、かつ／または、それらは、カラーアクセントを増大するようＲＧＢチップを含むことができる。
【００９７】
図１２は、本発明の主題による照明アセンブリーの第５の実施形態の断面図である。図１２を参照して、光エンジンアセンブリー１２１、および部屋側要素１２２よりなる照明アセンブリー１２０が、示される。前記光エンジンアセンブリー１２１は、フランジ部１２４を備えたトリム要素１２３よりなる。前記部屋側要素１２２は、複数の固体発光素子１２５を備え、かつ、前記トリム要素１２３の軸を含む部屋側要素の任意の平面状の断面は、該トリム要素１２３の軸に実質的に平行な方向において前記トリム要素１２３から伸びる第１の熱放散フィン１２６、および、互いに平行である４つの他の熱放散フィン２７を含む。該部屋側要素１２２は、また、印刷配線板１２８、および屈折器１２９を含む。
【００９８】
本発明の主題による光エンジンアセンブリーのいくらかの実施形態は、主要な取付体製造業者から入手可能な代表的なリセスを設けられたハウジング（缶）内に搭載されるよう、設計される。
【００９９】
ここで記述された照明アセンブリーの任意の２つまたはそれ以上の部品は、一体化されることができる。ここで記述された照明アセンブリーの任意の構造的な部分は、２つまたはそれ以上の部分（必要であれば、一緒に保持することのできる）にて設けられることができる。同様に、任意の２つ、またはそれ以上の機能は、同時に行うことができ、かつ／または、任意の機能は、一連のステップで行うことができる。
【０１００】
さらに、本発明の主題のある実施形態は、特定の要素の結合を参照して図解されたが、種々の他の結合もまた、本発明の主題の教えから離れることなく、与えられることができる。このように、本発明の主題は、ここで記述され、図面に図解された特定の好ましい実施形態に限定されるものと解釈されるべきではなく、逆に、種々の図解された実施形態の要素の結合をもカバーすると解釈されるべきである。
【０１０１】
多くの変形、および修整は、本開示の利点を与えられて、本発明の主題の精神、および、範囲から離れることなく、当業者によってなされることができる。それゆえ、図解された実施形態は、例の目的のためにのみ与えられたものであり、以下のクレームによって定義される発明の主題を限定するものと解釈されるべきではない。以下のクレームは、それゆえ、文字通り設定された要素の結合のみを含むのではなく、実質的に同じ機能を、実質的に同じ結果を得るよう、実質的に同じ方法で遂行するすべての等価な要素を含むよう、読まれるべきである。クレームは、このように、上記で特定的に図解され、記述されたもの、概念的に等価なもの、および本発明の主題の本質的なアイデアを組み入れているものをも含むように理解されるべきである。
【図１】
2010509747.tif 000003
【図２】
2010509747.tif 000004
【図３】
2010509747.tif 000005
【図４】
2010509747.tif 000006
【図５】
2010509747.tif 000007
【図６】
2010509747.tif 000008
【図７】
2010509747.tif 000009
【図８】
2010509747.tif 000010
【図９】
2010509747.tif 000011
【図１０】
2010509747.tif 000012
【図１１】
2010509747.tif 000013
【図１２】
2010509747.tif 000014
【図１３】
2010509747.tif 000015
【手続補正書】
【提出日】平成21年10月30日(2009.10.30)
【手続補正１】
【補正対象書類名】特許請求の範囲
【補正対象項目名】全文
【補正方法】変更
【補正の内容】
【特許請求の範囲】
【請求項１】
光エンジンアセンブリーよりなる照明アセンブリーであって、該光エンジンアセンブリーは、以下のものよりなる：
少なくとも１つのトリム要素、該トリム要素はトリム要素内部空間を定義しており、該トリム要素は、光エンジンアセンブリーが、前記照明装置ハウジング内に配置されているとき、該照明装置ハウジングの開口を超えて向こうに伸びるよう構成されたフランジ部を含む；
少なくとも１つの固体発光素子よりなる光エンジン、該光エンジンは、前記少なくとも１つの固体発光素子が、エネルギー供給されるとき、前記トリム要素内部空間内に光を出射するよう、位置している；かつ、
前記光エンジンと、前記少なくとも１つのトリム要素との間の熱インタフェース。
【請求項２】
照明アセンブリーであって、以下のものよりなる：
光エンジンアセンブリー；および、
前記光エンジンアセンブリーからの熱を放散する手段、
前記光エンジンアセンブリーは、以下のものからなる：
少なくとも１つのトリム要素、該トリム要素は、トリム要素内部空間を定義する；かつ、
少なくとも１つの固体発光素子を備える光エンジン、該光エンジンは、前記少なくとも１つの固体発光素子が、エネルギー供給されるとき、前記トリム要素内部空間内に光を出射するよう、位置している。
【請求項３】
請求項１または請求項２に記載の照明アセンブリーにおいて、前記フランジ部は、前記トリム要素のすべての他の部分より、前記トリム要素の軸から、遠くに伸びる。
【請求項４】
請求項１ないし請求項３のいずれかに記載の照明アセンブリーにおいて、前記フランジ部は、前記トリム要素の軸に実質的に垂直である平面内で伸びる。
【請求項５】
請求項１ないし４のいずれかに記載の照明エンジンアセンブリーにおいて：
前記光エンジンは、さらに、前記トリム要素内部空間内に位置する光エンジンハウジングを、備え、該光エンジンハウジングは、光エンジンハウジング内部空間を定義しており、かつ、
前記光エンジンは、前記光エンジンハウジング内部空間内に位置している。
【請求項６】
請求項５に記載の照明アセンブリーにおいて、前記光エンジンハウジングの外部表面は、前記トリム要素の内部表面と接触している。
【請求項７】
請求項５または請求項６に記載の照明アセンブリーにおいて、前記光エンジンは、さらに、少なくとも１つの熱インタフェース要素を備え、該熱インタフェース要素は、前記光エンジンハウジングの外部表面と、前記トリム要素の内部表面、間に、かつ、そのおのおのと接触して、位置している。
【請求項８】
請求項５ないし請求項７のいずれかに記載の照明アセンブリーにおいて、前記光エンジンは、さらに、複数の光エンジンハウジングフィンを備え、
該光エンジンハウジングフィンのおのおのは：
前記光エンジンハウジングの外部表面と接触しており、
前記トリム要素の内部表面と接触しており、
前記光エンジンハウジング内部空間の外側にあり、かつ、
前記トリム要素内部空間の内側にある。
【請求項９】
請求項１ないし請求項８のいずれかに記載の照明アセンブリーにおいて：
前記照明アセンブリーは、さらに、少なくとも１つの第１の光拡散素子を備え、
前記光拡散素子は、前記トリム要素内部空間内に位置しており、
前記トリム要素、および前記第１の光拡散素子は、一緒になって、トリム要素−拡散素子内部空間を定義しており、かつ、
前記光エンジンは、前記トリム要素−拡散素子内部空間内に位置している。
【請求項１０】
請求項１ないし請求項９のいずれかに記載の照明アセンブリーにおいて、該照明アセンブリーは、さらに、照明装置ハウジングを備え、該照明装置ハウジングは、照明装置ハウジング内部空間を定義しており、前記光エンジンアセンブリーの少なくとも一部は、前記照明装置ハウジング内部空間内に位置している。
【請求項１１】
請求項１、および３ないし１０のいずれかに記載の照明アセンブリーにおいて、前記照明アセンブリーは、さらに、複数の熱放散フィンを有する、部屋側要素を備える。
【請求項１２】
請求項１１に記載の照明アセンブリーにおいて、前記熱放散フィンの少なくとも１つは、前記トリム要素の軸に実質的に垂直である平面内にある少なくとも１つの表面を持つ。
【請求項１３】
請求項１１または請求項１２に記載の照明アセンブリーにおいて、前記部屋側要素は、以下のうちの少なくとも１つを、備える：
(1) 前記トリム要素と、前記部屋側要素との間に位置している少なくとも１つの熱伝導要素；
(2) １つの環状領域、および複数の熱放散フィン、該複数の熱放散フィンは、前記トリム要素の軸を含む任意の平面状の断面が、前記複数の熱放散フィンの少なくともいくらかを通って伸び、かつ、任意の前記平面状の断面内で、前記複数の熱放散フィンの少なくともいくらかは、前記環状領域から放射状に伸び、かつ前記トリム要素の軸に垂直な平面に対して異なる角を定義するように、前記環状領域から外方に伸びている；
(3) １つのヒートシンク構造；
(4) 少なくとも１つの固体発光素子；および、
(5) 複数の凹部を、該環状要素の第１の表面内に持つ環状要素であって、該環状要素の該第１の表面は、前記環状要素の第２の表面に対向しており、前記第２の表面は、前記トリム要素と接触しており、少なくとも１つの固体発光素子が、前記凹部の少なくともいくつかのおのおの内に位置している。
【請求項１４】
請求項１１ないし請求項１３のいずれかに記載の照明アセンブリーにおいて、前記トリム要素の軸を含む任意の平面状の断面は、前記トリム要素から、該トリム要素の軸に実質的に平行な方向において伸びる少なくとも１つの第１の熱放散フィン、および、互いに実質的に平行である少なくとも２つの他の熱放散フィンを、含む。
【請求項１５】
請求項２ないし請求項１０のいずれかに記載の照明アセンブリーにおいて、前記熱を放散する手段は、その中に少なくとも１つの固体発光素子が位置している少なくとも１つのリセスを、備える。
【手続補正２】
【補正対象書類名】明細書
【補正対象項目名】００２７
【補正方法】変更
【補正の内容】
【００２７】
【図１】図１は、本発明の主題による照明アセンブリーの第１の実施形態の斜視図である。
【図２】図２は、図１に描かれた第１の実施形態の断面図である。
【図３】図３は、図１に描かれた第１の実施形態の斜視展開図である。
【図４】図４は、図１に描かれた第１の実施形態の部屋側要素の部分断面図である。
【図５】図５は、トリム要素と部屋側要素との間に位置している熱伝導要素を含む、代替的な実施形態の部分的な断面図である。
【図６】図６は、前記第１の実施形態に似た、かつ、さらに照明装置ハウジングを備えた１つの代替的な実施形態の断面図である。
【図７】図７は、本発明の主題による照明アセンブリーの第２の実施形態の斜視図である。
【図８】図８は、図７に描かれた第２の実施形態の斜視展開図である。
【図９】図９は、図２に描かれた第２の実施形態の部屋側要素の部分的断面図である。
【図１０】図１０は、本発明の主題による照明アセンブリーの第３の実施形態の断面図である。
【図１１】図１１は、本発明の主題による照明アセンブリーの第４の実施形態の断面図である。
【図１２】図１２は、本発明の主題による照明アセンブリーの第５の実施形態の断面図である。
【図１３】図１３は、もう１つの光エンジンアセンブリーを示す図である。
【手続補正３】
【補正対象書類名】明細書
【補正対象項目名】００３７
【補正方法】変更
【補正の内容】
【００３７】
本明細書において用いられる表現“接触して”は、第２の構造と“接触している”第１の構造が、前記第２の構造と直接接触していることができること、あるいは、１つ、またはそれ以上の中間構造により前記第２の構造から分離されている（すなわち、間接接触している）ことができること、ここで、該第１、および第２の構造、および該１つ、またはそれ以上の中間構造はおのおの、前記第１、および第２の構造の表面、および前記１つ、またはそれ以上の中間構造の表面、のうちから選択されたもう１つの表面と直接接触する、少なくとも１つの表面を持つことを意味する。
【手続補正４】
【補正対象書類名】明細書
【補正対象項目名】００３９
【補正方法】変更
【補正の内容】
【００３９】
ここで使用されるように、たとえば、表現“実質的に垂直の”、“実質的に平行の”、“実質的に円筒形状の”、“実質的に錘台形状の”、“実質的に円錐形状の”、“実質的に半楕円形の”等における、用語“実質的に”は、記載された特徴の少なくとも約９５％の一致を、意味する、即ち、
ここで使用される表現“実質的に垂直の”は、参照平面または線に対して実質的に垂直であると特徴付けられる構造内の点の少なくとも９５％が、(1) 前記参照平面に対して垂直である、(2) 相互に平行である、および、(3) 前記構造の最大寸法の５％より大きくない距離だけ、互いに空間を開けられている、一対の平面のうちの１つの上に、または、それらの間に配置されている、ことを意味する；
ここで使用される表現“実質的に平行の”は、２つの線（２つの平面）が、互いから、最大で、９０度の５％の角度、すなわち、４．５度だけ、発散することを意味する；
ここで使用される表現“実質的に円筒形状の”は、実質的に円筒形状であると特徴付けられる表面内の点の少なくとも９５％が、それらの最大の寸法の５％より大きくない距離だけ、互いに離れている一対の想像上の円筒形状構造のうちの１つ上に、またはそれらの間に、配置されていることを意味する；
ここで使用される表現“実質的に錘台形状の”は、実質的に錘台形状であると特徴付けられる表面内の点の少なくとも９５％が、それらの最大の寸法の５％より大きくない距離だけ、互いに離れている一対の想像上の錘台形状構造のうちの１つ上に、またはそれらの間に、配置されていることを意味する；
ここで使用される表現“実質的に円錐形状の”は、実質的に円錐形状であると特徴付けられる表面内の点の少なくとも９５％が、それらの最大の寸法の５％より大きくない距離だけ、互いに離れている一対の想像上の円錘構造のうちの１つ上に、またはそれらの間に、配置されていることを意味する；かつ、
ここで使用される表現“実質的に半楕円形の”は、半楕円を、式ｘ2／ａ2 ＋ｙ2／ｂ2 ＝１、ここで、ｙ≧０、を持つよう引くことができ、かつ、虚数軸を、該構造上の各点のｙ座標が、このような点のｘ座標を、このような式に代入することにより得られる値の０．９５から１．０５倍内にある位置で引くことができることを意味する。
【手続補正５】
【補正対象書類名】明細書
【補正対象項目名】００４７
【補正方法】変更
【補正の内容】
【００４７】
適切なＬＥＤの代表的な例は、以下に記述されている：
(1) 米国特許出願第６０／７５３，１３８号、２００５年１２月２２日出願、名称“照明装置”（発明者：ジェラルド  Ｈ．ネグレイ；代理人ドケット番号９３１＿００３ＰＲＯ）、および、米国特許出願第１１／６１４，１８０号、２００６年１２月２１日出願、それらの全体は、参照によりここに組み入れられる；
(2) 米国特許出願第６０／７９４，３７９号、２００６年４月２４日出願、名称“ルミファー膜を空間的に分離することにより、ＬＥＤにおけるスペクトル内容をシフトすること”（発明者：ジェラルド  Ｈ．ネグレイ、およびアントニー  ポール  ヴァンデヴェン；代理人ドケット番号９３１＿００６ＰＲＯ）、および、米国特許出願第１１／６２４，８１１号、２００７年１月１９日出願、それらの全体が参照によりここに組み入れられる；
(3) 米国特許出願第６０／８０８，７０２号、２００６年５月２６日出願、名称“照明装置”（発明者：ジェラルド  Ｈ．ネグレイ、およびアントニー  ポール  ヴァンデヴェン；代理人ドケット番号９３１＿００９ＰＲＯ）、および、米国特許出願第１１／７５１，９８２号、２００７年５月２２日出願、それらの全体が参照によりここに組み入れられる；
(4) 米国特許出願第６０／８０８，９２５号、２００６年５月２６日出願、名称“固体発光装置、およびこれを製造する方法”（発明者：ジェラルド  Ｈ．ネグレイ、およびニール  ハンター；代理人ドケット番号９３１＿０１０ＰＲＯ）、および、米国特許出願第１１／７５３，１０３号、２００７年５月２４日出願、それらの全体が参照によりここに組み入れられる；
(5) 米国特許出願第６０／８０２，６９７号、２００６年５月２３日出願、名称“照明装置、および製造方法”（発明者：ジェラルド  Ｈ．ネグレイ；代理人ドケット番号９３１＿０１１ＰＲＯ）、および、米国特許出願第１１／７５１，９９０号、２００７年５月２２日出願、それらの全体が参照によりここに組み入れられる；
(6) 米国特許出願第６０／８３９，４５３号、２００６年８月２３日出願、名称“照明装置、および照明方法”（発明者：アントニー  ポール  ヴァンデヴェン、およびジェラルド  Ｈ．ネグレイ；代理人ドケット番号９３１＿０３４ＰＲＯ）、および、米国特許出願第１１／８４３，２４３号、２００７年８月２２日出願、それらの全体が参照によりここに組み入れられる;
(7) 米国特許出願第６０／８５７，３０５号、２００６年１１月７日出願、名称“照明装置、および照明方法”（発明者：アントニー  ポール  ヴァンデヴェン、およびジェラルド  Ｈ．ネグレイ；代理人ドケット番号９３１＿０２７ＰＲＯ）、その全体が参照によりここに組み入れられる;および、
(8) 米国特許出願第６０／８５１，２３０号、２００６年１０月１２日出願、名称“照明装置、およびこれを製造する方法”（発明者：ジェラルド  Ｈ．ネグレイ；代理人ドケット番号９３１＿０４１ＰＲＯ）、その全体が参照によりここに組み入れられる。
【手続補正６】
【補正対象書類名】明細書
【補正対象項目名】００９７
【補正方法】変更
【補正の内容】
【００９７】
図１２は、本発明の主題による照明アセンブリーの第５の実施形態の断面図である。図１２を参照して、光エンジンアセンブリー１２１、および部屋側要素１２２よりなる照明アセンブリー１２０が、示される。前記光エンジンアセンブリー１２１は、フランジ部１２４を備えたトリム要素１２３よりなる。前記部屋側要素１２２は、複数の固体発光素子１２５を備え、かつ、前記トリム要素１２３の軸を含む部屋側要素の任意の平面状の断面は、該トリム要素１２３の軸に実質的に平行な方向において前記トリム要素１２３から伸びる第１の熱放散フィン１２６、および、互いに平行である４つの他の熱放散フィン１２７を含む。該部屋側要素１２２は、また、印刷配線板１２８、および屈折器１２９を含む。
【国際調査報告】
2010509747.tif 000016
2010509747.tif 000017
2010509747.tif 000018